(57)【特許請求の範囲】
【請求項１】
電気機器盗難防止保安装置であって、第１の電気機器（１）が接続ケーブル（３５）を介して接続部により他の第２の電気機器（５）に接続されるように構成されており、前記接続部は、第１基準電位（１５）に対する第１極（９５）及び第２基準電位（２５）に対する第２極（１００）を有し、また、第２電気機器（５）では、第１基準電位（１５）と第２基準電位（２５）が相互に接続されており、さらに、第１電気機器（１）に対する給電電圧リードを有する第３極（５５）が設けられており、前記第１電気機器（１）には、該第１電気機器（１）の制御のためのコントロールユニット（４０）が設けられている電気機器盗難防止保安装置において、
第１極と第２極（９５、１００）間の接続が切り離されると、前記第１極と第２極（９５、１００）間で電圧差が生じ、該電圧差により、コントロールユニット（４０）にて、保安、保護動作過程がトリガされるように構成されており、
前記第１極と第２極（９５、１００）間の電圧差が、第１電気機器（１）にて残留する残留チャージにより生じるように構成されている、ことを特徴とする電気機器盗難防止保安装置。
【請求項２】
少なくとも１つの第１のコンデンサ（５０）が、一方では、給電電圧から導出される作動電圧電位（１０５）に接続され、他方では、第１基準電位（１５）に接続されており、作動電圧電位（１０５）は、分圧器（６０、６５）を介して第２基準電位（２５）と接続されており、更に、第２基準電位（２５）は、少なくとも１つのダイオード（７０、７５）を介して、順方向に第１基準電位（１５）に接続されており、前記分圧器（６０、６５）によっては、例えばスイッチとして構成されたセンサ（４５）の制御電圧が、作動電圧に依存して調整セッティングされるように構成されており、更に、前記センサ（４５）は、保安、保護動作過程のトリガのためのコントロールユニット（４０）の入力側（８０）と、第１基準電位（１５）との間に設けられていることを特徴とする請求項１記載の装置。
【請求項３】
センサ（４５）の制御入力側（８５）と第１基準電位（１５）との間に第２コンデンサ（９０）が接続されており、該第２コンデンサの容量が、第１コンデンサ（５０）の容量より小であることを特徴とする請求項２記載の装置。
【請求項４】
コントロールユニット（４０）には、作動電圧が供給され、そして第１極と第２極（９５、１００）間の接続を切り離すと、コントロールユニット（４０）への電圧供給が、第１コンデンサ（５０）の残留チャージにより行われるように構成されていることを特徴とする請求項１から３までのうちいずれか１項記載の装置。
【請求項５】
第１極と第２極（９５、１００）間の接続を切り離すと、当該両極（９５、１００）間に生じる電圧差によっては、センサ（４５）の制御電圧が次のように変化調整せしめられる、即ち、スイッチング動作過程が行われ、そして、コントロールユニット（４０）にて保安、保護動作過程をトリガするように変化調整せしめられるように構成されていることを特徴とする請求項１から４までのうちいずれか１項記載の装置。
【請求項６】
第１電気機器（１）は、コントロールユニット（４０）と共働する電子錠（１１０）を有し、そして、保安、保護動作過程の際、電子錠（１１０）の起動が行われるように構成されていることを特徴とする請求項１から５までのうちいずれか１項記載の装置。
【請求項７】
保安、保護動作過程の起動は、コントロールユニット（４０）と共働するタイマ（１１５）により設定可能な遅延時間の後、行われるように構成されていることを特徴とする請求項１から６までのうちいずれか１項記載の装置。
【請求項８】
電子錠（１１０）は、第１電気機器（１）のコントロールユニット（４０）に接続された、操作部材（２０）により解錠可能であることを特徴とする請求項６記載の装置。
【請求項９】
給電電圧又はこれより導出された量の測定が第１電気機器（１）にて行われ、そして、測定結果の、コントロールユニット（４０）への供給が行われ、また保安、保護動作過程の起動のため第１電気機器（１）にてコントロールユニット（４０）にて、付加的に、測定された給電電圧、またはそれより導出された量が所定値以下に低下すべきものであるように構成されていることを特徴とする請求項１から８までのうち何れか１項記載の装置。
【請求項１０】
給電電圧は、少なくとも部分的に少なくとも１つの第３のコンデンサ（１２５）に加わり、該第３コンデンサ（１２５）には、給電電圧の除去の際、前記第３コンデンサの急速な放電のため抵抗（１３０）が並列接続されるように構成されていることを特徴とする請求項１から９までのうちいずれか１項記載の装置。
【請求項１１】
第１基準電位（１５）は、デジタル信号処理のため設けられ、第２基準電位（２５）は、アナログ信号処理のため設けられていることを特徴とする請求項１から１０までのうち何れか１項記載の装置。
【発明の詳細な説明】
【０００１】
【発明の属する技術分野】
本発明は請求項１記載の上位概念による電気機器盗難防止保安装置に関する。
【０００２】
【従来の技術】
ブラウプンクトＢｌａｕｐｎｋｔ社のカーラジオＡＣＭ５４５０の操作説明書からは、作動電圧の断により盗難防止機能の起動が行われるカーラジオが既に公知である。
【０００３】
【発明が解決しようとする課題】
本発明の課題とするところは、わずかなコストで、所定の時間及び手法で迅速かつ確実に、なお電気機器の取り外し、分解中でも電圧断後にコード−起動が確保され得るように電気機器盗難防止保安装置を構成することである。
【０００４】
【課題を解決するための手段】
上記課題の解決のため、本発明によれば、電気機器盗難防止保安装置であって、第１の電気機器、例えばＣＤ−チェンジャが接続ケーブルを介して接続部により他の第２の電気機器に接続されるように構成されており、前記接続部は、第１基準電位に対する第１極及び第２基準電位に対する第２極を有し、また、第２電気機器では、第１基準電位と第２基準電位が相互に接続されており、さらに、第１電気機器に対する給電電圧リードを有する第３極が設けられており、前記第１電気機器には、該第１電気機器の制御のためのコントロールユニットが設けられている電気機器盗難防止保安装置において、第１極と第２極間の接続が切り離されると、前記第１極と第２極間で電圧差が生じ、該電圧差により、コントロールユニットにて、保安、保護動作過程がトリガされるように構成されており、前記第１極と第２極間の電圧差が、第１電気機器にて残留する残留チャージにより生じるように構成されているのである。
【０００５】
従属請求項に規定された手段により独立請求項に規定された電気機器盗難防止安全装置の有利な発展形態及び改良が可能である。
【０００７】
請求項２によれば、コントロールユニットにて保安、保護動作過程の所定のトリガのためスィッチ、ダイオード及び分圧器が有利に使用される。そのようにして、簡単、且つコスト上有利な更に安価な保安、保護回路が実現される。
【０００８】
請求項３によれば、センサの制御入力側と第１基準電位との間に第２コンデンサが接続されており、該第２コンデンサの容量が、第１コンデンサの容量より小であるようにしたのである。そのようにして、スイッチの導通接続、ひいては、保安、保護動作過程の起動が、コントロールユニットにて、短時間の電圧断、誘導的障害又はレベルピークの際に阻止され、その結果保安、保護動作過程は、コントロールユニットにて、盗難による電圧断の場合のみ起動されるようになる。
【０００９】
請求項４によれば、コントロールユニットには、作動電圧が供給され、そして第１、第２極間の接続を切り離すと、コントロールユニットへの電圧供給が、第１コンデンサの残留チャージにより行われるように構成されているのである。そのようにして、コントロールユニットは盗難による電圧断後も、エネルギ供給を受け、それにより、保安、保護動作過程を起動できる。
【００１０】
請求項７によれば、保安、保護動作過程の起動は、コントロールユニットと共働するタイマにより設定可能な遅延時間の後、行われるように構成されているのである。そのようにして、同様に、障害に帰せられるべき短時間の電圧断によってコントロールユニットにて保安、保護動作過程のトリガが行われるのが阻止される。
【００１１】
請求項８によれば、電子錠は、第１電気機器のコントロールユニットに接続された、操作部材により解錠可能であるようにしたのである。そのようにして、起こるおそれのある不所望の電圧断によりコントロールユニットにて保安、保護動作過程の起動が惹起された場合に、利用者は、電圧供給機能が回復された際には電気機器の動作機能状態を簡単に確保できる。
【００１２】
請求項９によれば、給電電圧又はこれより導出された量の測定が第１電気機器にて行われ、そして、測定結果のコントロールユニットへの供給が行われ、また保安、保護動作過程の起動のため第１電気機器にてコントロールユニットにて、付加的に測定された給電電圧、またはそれにより導出された量が所定値以下に低下すべきものであるように構成されている（コントロールユニットにおける保安、保護動作過程の起動のための付加条件として）のである。そのようにして、保安、保護動作過程の誤った起動をさせないようにするための保安、保護回路による保安、保護が更に改善される。
【００１３】
請求項１０によれば、給電電圧は、少なくとも部分的に少なくとも１つの第３のコンデンサに加わり、該第３コンデンサには、給電電圧の除去の際、前記第３コンデンサの急速な放電のため抵抗が並列接続されるように構成されているのである。そのようにして、給電電圧の相応の部分が作動電圧よりも迅速に低下し、その結果コントロールユニットは、所定値以下への当該の給電電圧の相応の部分の低下の検出後、保安、保護動作過程を起動させるのに十分な時間を有する。給電電圧除去の際のみ抵抗を付加接続するようにすれば、給電電圧の印加接続された際の損失電流を回避できる。
【００１４】
【実施例】
図１には、本発明の実施例が示してあり、以降詳述する。単一の図１は、接続ケーブルを介して第２電気機器と接続された第１電気機器を、第１電気機器の盗難防止機能の起動のための第１電気機器内に収容された構成部分と共に示す。
【００１５】
図１中１は、ＣＤ−チェンジャとして構成された第１電気機器を表し、該第１電気機器は接続ケーブル３５を介してカーラジオとして構成されている電気機器８に接続されている。第１電気機器１がＣＤ−チェンジャとして構成され、第２電気機器５がカーラジオとして構成されている実施例は、本発明の説明上の例示的に選定されたものである。本発明では任意の他の電気機器を選定出来、例えば、第１の電気機器１は、ビデオレコーダ２はカーラジオであってもよく、該第１電気機器は、電圧給電装置として構成された電気機器５に接続され得る。
【００１６】
いずれにしろ、本発明の第１の電気機器１はデジタル信号処理のための第１の基準電位１５に対する第１極95と、アナログ信号処理のための第２基準電位２５に対する第２極１００を有する。第１の電気機器１の第１極９５は、第１線路１０（これは接続ケーブル３５内に設けられている）を介して第２電気機器５の第１極１３５に接続され、そして、第１電気機器１の第２極１００は、第２線路２０（これは、同様に接続ケーブル３５内に設けられている）を介して第２電気機器５の第２極１４０に接続されている。第２電気機器５では第１極１３５及び第２極１４０が相互に接続されており、そして、第３基準電位１５０に接続されている。第２電気機器５の第３極１４５と、第３基準電位１５０との間に、直流電圧源５５が接続されている。第２電気機器５の第３極１４５は、給電電圧線路３０を介して、第１電気機器１の第３極５５に接続されている。直流電圧源１５５は、例えば、１４Ｖの給電電圧を送出する。第３極５５は、測定抵抗１３０を介して第１基準電位１５に接続されている。測定抵抗３０には、第３のコンデンサ１２５が並列接続されている。更に測定抵抗１３０には、電圧測定器１６０が並列接続されている。電圧測定器１６０の測定出力側１９５は、コントロールユニット４０の電圧測定入力側１７５に接続されている。第１電気機器１の第３極５５には、電圧変換器１６５も接続されており、電圧変換器は、ここで選ばれた例にて使用された１４Ｖの給電電圧を、５Ｖの作動電圧に変換し、そして、作動電圧出力側１０５を有する。該作動電圧出力側には作動電圧電位が現れる。さらに、電圧変換器１６５は、第１基準電位１５に接続されている。電圧変換器１６５の作動電圧出力側１０５は、コントロールユニット４０の作動電圧入力側１７０に接続されている。電圧変換器１６５の作動電圧出力側１０５と第１基準電位１５との間に第１コンデンサ５０が接続されており、該第１コンデンサ５０は、例えば電解コンデンサとして構成され得、そして、それの正の電極は、電圧変換器１６５の作動電圧出力側１０５に接続されている。コントロールユニット４０は、タイマ１１５及び電子錠１１０に接続されており、ここで、タイマ１１５及び／又は電子錠１１０は、コントロールユニット４０内に統合化されてもよい。さらに、コントロールユニット４０には、操作器１２０（これは、例えば、キーボード２００を有し得る）が接続されている。電圧変換器１６５の作動電圧出力側１０５は、第１分圧器抵抗６０と、第２分圧器抵抗６５を介して第１ダイオード７０のアノードに接続されており、第１ダイオード７０のカソードは、第２ダイオード７５のアノードに接続されており、この第２ダイオードのカソードは、同じく第１基準電位１５に接続されている。更に第２ダイオード１５のカソードは、第３ダイオード１９０のアノードに接続されており、該第３ダイオードのカソードは、第１ダイオード７０のアノードに接続されている。更に、第１ダイオード７０のアノードは、第２基準電位２５に接続されている。第１、第２分圧器抵抗６０、６５間に、ｎｐｎバイポーラトランジスタとして構成された被制御スイッチ４５の制御入力側８５が接続されており、該スイッチのエミッタは、第���基準電位１５に接続され、そしてそれのコレクタは、コレクタ抵抗１８５を介して電圧変換器１６５の作動電圧出力側１０５に接続されている。被制御スイッチ４５の代わりに、他のセンサも例えばＡ／Ｄ変換器も使用できる。ｎｐｎパイポーラトランジスタ４５の制御入力側８５と、第１基準電位１５との間に第２コンデンサ９０が接続されている。更に、ｎｐｎパイポーラトランジスタ４５のコレクタは、コントロールユニット４０のＳＡＦＥ（保全）−入力側１８０に接続されている。コントロールユニット４０は、基準電位出力側１８０を有し、該基準電位出力側を介しては第１基準電位１５と接続されている。
【００１７】
両電気機器１及び５中には、本発明の動作機能に必要な構成部分が示してあり、説明される。第１コンデンサ５０は、作動電圧出力側１０５に接続されたすべての容量をまとめ、そして、第３コンデンサ１２５は、第１電気機器における該第１電気機器の第３極５５ないし給電電圧電位に接続されたすべての容量をまとめる。
【００１８】
本発明の動作を次に説明する：第１電気機器１の第１、第２極９５、１００の電位相等性に基づき、第１、第２ダイオード７０、７５に電圧降下は生ぜず、その結果両ダイオードは、オフ、阻止状態である。比較的大きな第１の分圧器抵抗６０、例えば、４７ＫΩに比しての、比較的小さな第２の分圧器抵抗６５、例えば、１ＫΩの選定の場合、５Ｖの作動電圧のもとで、ｎｐｎパイポーラトランジスタ４５の制御電圧は、該ｎｐｎバイポーラトランジスタの導通接続には十分でなく、その結果コントロールユニット４０のＳＡＦＥ入力側８０は、ハイＨＩＧＨ（高）状態におかれる。第１電気機器１は、上述のように第２電気機器５に接続されているので、第１、第２基準電位１５、２５は等しい、それというのは、それらは、第２電気機器５にて１つの共通の第３の基準電位１５０に接続されているからである。
【００１９】
接続ケーブル（の接続、接続路）が切断され、切り離される場合、例えば、盗難の際、第１、第２線路１０、２０は、切り離され、その結果、第１、第２極９５、１００は、もはや相互に接続されない。そのようにして、第１極９５と、第２極１００との間に電圧差が生じ、該電圧差は、第１、第３ダイオード７０、７５により制限される。接続ケーブル３５の切り離しの際、給電電圧線路３０も切り離されるので、第１電気機器１は、電圧給電部から切り離される。従って、第１、第２極９５、１００間での電圧差が、第１電気機器１にて残留する残留チャージにより生じ該残留チャージは、図示のように、第１コンデンサ５０のチャージと解せられるべきものでる。要するに、第１コンデンサの残留チャージにより、第１極９５と第２極１００との間の電圧差が生ぜしめられ、そして、第１、第２ダイオード７０、７５は、順方向に接続される。第１、第２ダイオード７０、７５における電圧降下により、ｎｐｎパイポーラトランジスタ４５の制御入力側８５における制御電圧は、次の程度に高められる、即ち、ｎｐｎパイポーラトランジスタ４５が閉成され、コントロールユニット４０のＳＡＦＥ入力側８０がローＬＯＷ（低）になる程度に高められる。第１コンデンサ５０の残留チャージは、給電電圧線路３０の切り離し後コントロールユニット４０のエネルギ給電を引き継ぐ。ｎｐｎパイポーラトランジスタ４５が導通接続されると直ちに、タイマー１１５は、コントロールユニットによりスタートされる。更に、電圧測定器１６０により測定された測定抵抗１３０における電圧値がコントロールユニット４０にて、所定の電圧値と比較される。タイマー１１５による所定時間の経過後測定された電圧が、所定値以下に低下すると直ちに、コントロールユニット４０に、保安、保護動作過程が起動され、該保安、保護動作過程は電子錠１１０の所謂盗難ビットのセットにより起動される。電圧給電部への再接続の際、電子錠１１０は、操作部１２０のキーボード２００のコード語の入力によってのみ、盗難ビットのリセットにより、解錠され得る。その結果、第１電気機器１は再び作動準備状態になり、第１、第２基準電位１５、２５は、再び等しくなり、それにより、ｎｐｎーパイポーラトランジスタ４５は、再び開放状態になり、そして、コントロールユニット４０のＳＡＦＥ入力側８０は、ハイＨＩＧＨ（高）状態になる。
【００２０】
接続ケーブル３５の切り離し、切断後、コントロールユニット４０への電圧給電が、第１コンデンサ５０のチャージにより行われるので、第３コンデンサ１２５は、保安、保護動作過程をスタートし得るため、第１コンデンサ５０より速やかに放電されねばならない。第３のコンデンサ１２５の相応に急速な放電は、測定抵抗１３０によって、生ぜしめられ、該測定抵抗は、従って、それに相応して、低抵抗に選定されるべきである。保安、保護動作過程の起動、スタートまでのタイマ１１５により設定される時間は、短時間の電圧断（これは接続ケーブルの切断切り離しに基づくものでなく、以て盗難に帰せられるべきものでない）の場合盗難防止機器の起動を阻止するために用いられる。同じことは、またコントロールユニット４０における所定値との測定された電圧との比較についても成立つ。それというのは、短時間の電圧断（これは接続ケーブル３５の切り離し、切断３５に帰せられるべきものでない）によっては、過度に大きい給電電圧の電圧降下は惹起されず、盗難防止機能の起動は生ぜしめられないからである。接続ケーブル３５の切り離し、切断の際の第３コンデンサ１２５上での残留チャージの相応の迅速な低下は、測定抵抗１３０により生ぜしめられ、それにより、盗難が可及的に迅速に検出され、そして窃盗者に対して、予備電圧源を接続する機会を与えないようになる。ここで、タイマ１１５を用いて設定可能な時間は、給電電圧の低下に対して第３コンデンサ１２５の容量及び測定抵抗１３０により形成される時定数に適合されねばならない。第２コンデンサ９０によっては、次のことが阻止される、即ち、接続ケーブル３５にて例えば６ｍまでの長さの線路１０、２０、３０上で短時間の電圧断、誘導障害又はレベルピークの場合バイポーラトランジスタ４５は導通接続されて、コントロールユニットにて保安、保護動作過程を起動するということが阻止される。このために、第２コンデンサ９０の容量は十分大でなければならない。他方では、第１コンデンサ５０の容量より小でなければならない。それにより、第１電気機器の第１極９５と、第２極１００との間で電圧の跳躍的変化、ジャンプがｎｐｎバイポーラトランジスタ４５の制御入力側８５に作用できるようにするものである。第２コンデンサ９０の容量４７ｎＦの場合、第１電気機器１の２２０μＦのオーダの容量を以て、接続ケーブル３５の切り離し、切断の際、ｎｐｎバイポーラトランジスタ４５の導通接続のため、及び保安、保護動作過程の起動をさせるのに十分である。
【００２１】
接続ケーブル３５の切り離し、切断されていない場合、第２、第３ダイオード７０、７５、１９０によっては、次のことが達成される、即ち、電圧断に基因する、第１電気機器１の第１、第２極９５、１００間の電圧差が制限され、従って、回路の損傷、破壊が起こらないことが達成される。
【００２２】
測定抵抗１３０は、別の実施例では切換可能に構成され得、それにより、給電電圧の除去後でのみ第３コンデンサ１２５に並列接続せしめられ、不要の電流損失を回避し得る。その際、抵抗の付加接続は、センサのスイッチング過程の後直ちに行われ、そして、そして、コントロールユニット４０により例えば相応のリレーの制御により、生ぜしめられる。更に、測定量として、給電電圧の代わりに、それにより導出された量が使用され得る。このために、例えば、給電電圧を更なる分圧器により分圧されて使用され、または給電電圧に比例する電流の強さ等を使用できる。従って、第３コンデンサ１２５にて、更なる分圧器により分圧される給電電圧が印加されるようにしてもよい。
【００２３】
【発明の効果】
本発明によれば、わずかなコストで、所定の時間及び手法で迅速かつ確実に、なお電気機器取り外し、分解中でも電圧断後にコード−起動が確保され得るように、電気機器盗難防止保安装置を構成することができるという効果が奏される。
【図面の簡単な説明】
【図１】本発明の実施例の回路構成図。
【符号の説明】
１      第１電気機器
５      第２電気機器
１０    第１線路
１５    第１基準電位
２０    第２線路
２５    第２基準電位
３０    給電電圧線路
３５    接続ケーブル
４０    コントロールユニット
４５    バイポーラトランジスタ
５５    第３極
６０    分圧器抵抗
６５    分圧器抵抗
７０    第１ダイオード
７５    第２ダイオード
９５    第１極
１００  第２極
１０５  作動電圧出力側
１１０  電子錠１１０
１２０  操作部
１３０  測定抵抗
１３５  第１極
１４０  第２極
１４５  第３極
１５０  第３基準電位
１５５  直流電圧源
１６５  電圧変換器
１７０  作動電圧入力側
【図１】
0003977489.tif 000002